(57)【要約】 【課題】センシング情報を複数のビル設備で共有できるようにし、敷設コストの削減を図ることができるビル設備制御システムを提供する。  【解決手段】センサ装置は、ビル内の所定のエリアをセンシングし、複数のセンシング情報を検出する。第１制御装置は、検出された複数のセンシング情報のうち、即時性を要するビル設備の制御に必要なセンシング情報に基づいて、即時性を要するビル設備を制御する。集約装置は、検出された複数のセンシング情報を集約する。第２制御装置は、集約された複数のセンシング情報に基づいて、複数のビル設備を制御する。  【選択図】図１
2015043189.tif 000002
【特許請求の範囲】
【請求項１】
制御に即時性を要するビル設備を含めた、複数のビル設備を制御するビル設備制御システムにおいて、
ビル内の所定のエリアをセンシングし、複数のセンシング情報を検出するセンサ装置と、
前記検出された複数のセンシング情報のうち、前記即時性を要するビル設備の制御に必要なセンシング情報に基づいて、前記即時性を要するビル設備を制御する第１制御装置と、
前記検出された複数のセンシング情報を集約する集約装置と、
前記集約された複数のセンシング情報に基づいて、前記複数のビル設備を制御する第２制御装置と
を具備するビル設備制御システム。
【請求項２】
さらに、前記検出された複数のセンシング情報のうち、前記即時性を要するビル設備の制御に必要なセンシング情報を、前記センサ装置から前記第１制御装置へ伝送する第１伝送路と、
前記検出された複数のセンシング情報を、前記センサ装置から前記集約装置へ伝送する第２伝送路とを具備し、
前記第１および第２伝送路は、それぞれ異なる通信プロトコルで前記センシング情報を伝送する請求項１記載のビル設備制御システム。
【請求項３】
さらに、前記第１および第２伝送路ごとに設置され、前記伝送路を介して伝送されたセンシング情報の通信プロトコルを、前記ビルで用いられるネットワークの通信プロトコルに変換するプロトコル変換装置を具備する請求項２記載のビル設備制御システム。
【請求項４】
前記第１伝送路のトポロジーと前記第２伝送路のトポロジーとは互いに異なる請求項２記載のビル設備制御システム。
【請求項５】
前記センサ装置は、
前記第１制御装置へ送信するセンシング情報を有線で送信し、
前記集約装置へ送信するセンシング情報を有線または無線で送信する請求項１記載のビル設備制御システム。
【請求項６】
前記センサ装置は、前記エリアを撮像し、前記撮像した画像から前記複数のセンシング情報を検出する画像センサであり、
前記画像センサは、
前記エリアを撮像する撮像部と、
前記撮像された画像を記憶する記憶部と、
前記記憶された画像から前記複数のセンシング情報を生成する演算処理部と、
前記生成されたセンシング情報を前記第１制御装置および集約装置へ送信する送信部と
を備える請求項１記載のビル設備制御システム。
【請求項７】
前記センサ装置は、前記エリアに複数設置される請求項１記載のビル設備制御システム。
【請求項８】
前記センサ装置は、前記複数のセンシング情報として、前記エリアにおける人の在・不在、人の活動量、人数、明るさ、色味、ブラインドの状態、気温およびレイアウト情報の少なくともいずれか１つを検出する請求項１記載のビル設備制御システム。
【発明の詳細な説明】
【技術分野】
【０００１】
本発明の実施形態は、複数のビル設備を制御するビル設備制御システムに関する。
【背景技術】
【０００２】
近年、オフィスビルやテナントビル等の建物では、ＢＥＭＳ（Building and Energy Management System）と呼ばれるビル設備制御システムが用いられている。ＢＥＭＳは、照明装置や空調装置等の種々のビル設備の電力使用量を制御し、電力使用量を削減するシステムである。
【０００３】
次世代のＢＥＭＳの効果の一つに、省エネと快適性との両立がある。省エネと快適性とを両立するために、従来のビル設備制御システムでは、ビル内の電力需給の予測とともに、センサによる現況把握が求められている。従来のビル設備制御システムでは、省エネと快適性との両立を実現するために、人間をセンシングし、照明装置や空調装置等を制御している。
【０００４】
ところで、ビル内の現況を把握するセンサには、人感センサや温湿度センサ等、多種多様のセンサが存在する。しかしながら、上記センサは、それぞれ特定のビル設備を制御するために設置されている専用センサである。例えば、天井に設置されている人感センサは、照明制御用として利用されている。また、室内機に設置されている人感センサは、空調制御用として利用されている。すなわち、各センサは独立していて、上記センサで得られるセンシング情報は、各ビル設備間で共有されていない。また、上記センシング情報を各ビル設備の制御装置に出力する伝送路は、独立している。
【先行技術文献】
【特許文献】
【０００５】
【特許文献１】特開２０１２−１８６０７８号公報
【特許文献２】特開２０１２−６４５２９号公報
【発明の概要】
【発明が解決しようとする課題】
【０００６】
以上のように、従来のビル設備制御システムは、ビル設備ごとにセンサが設置されるので、センサに掛かるコストとともに、配線や設置等の工事に掛かるコストが多大になっていた。また、上記システムは、伝送路が独立しているため、センシング情報を共有することが困難であった。ビル設備間でセンシング情報を共有するためには、専用センサで得られたセンシング情報をシステムに含まれる情報集約部等に集約する必要がある。このため、従来のビル設備制御システムでは、センシング情報の共有には時間が掛かっていた。
【０００７】
そこで、目的は、センシング情報を複数のビル設備で共有できるようにし、敷設コストの削減を図ることができるビル設備制御システムを提供することにある。
【課題を解決するための手段】
【０００８】
本実施形態によれば、ビル設備制御システムは、制御に即時性を要するビル設備を含めた、複数のビル設備を制御するビル設備制御システムにおいて、センサ装置、第１制御装置、集約装置および第２制御装置を具備する。センサ装置は、ビル内の所定のエリアをセンシングし、複数のセンシング情報を検出する。第１制御装置は、前記検出された複数のセンシング情報のうち、前記即時性を要するビル設備の制御に必要なセンシング情報に基づいて、前記即時性を要するビル設備を制御する。集約装置は、前記検出された複数のセンシング情報を集約する。第２制御装置は、前記集約された複数のセンシング情報に基づいて、前記複数のビル設備を制御する。
【図面の簡単な説明】
【０００９】
【図１】実施形態に係るビル設備制御システムを備えるビル管理システムの一例を示す模式図。
【図２】図１に示す照明装置、空調装置およびセンサ装置の配置例を示す図。
【図３】実施形態に係るビル設備制御システムの一例を示すブロック図。
【図４】図３に示すビル設備制御システムに用いられる画像センサの一例を示すブロック図。
【図５】図３に示すビル設備制御システムに複数のビル設備を設ける場合の一例を示すブロック図。
【図６】実施形態に係るビル設備制御システムで使用可能なトポロジーの一例を示す図。
【図７】実施形態に係るビル設備制御システムにおける複雑なトポロジーの一例を示すブロック図。
【図８】実施形態に係るビル設備制御システムにおける接続方法の一例を示すブロック図。
【図９】実施形態に係るビル設備制御装置に、調整ＰＣを接続する場合の一例を示すブロック図。
【図１０】調整ＰＣによる画像センサの調整結果を示す図。
【図１１】図３に示す画像センサで検出されるセンシング情報の一例を示す図。
【図１２】実施形態に係るビル設備制御システムにおいて、エリアごとの人の在・不在を通知する電文内容の一例を示す図。
【図１３】実施形態に係るビル設備制御システムにおいて、エリアごとの活動量を通知する電文内容の一例を示す図。
【図１４】実施形態に係るビル設備制御システムにおいて、エリアごとの人数を通知する電文内容の一例を示す図。
【図１５】実施形態に係るビル設備制御システムにおいて、エリアごとの明るさを通知する電文内容の一例を示す図。
【図１６】実施形態に係るビル設備制御システムにおいて、エリアごとの色味を通知する電文内容の一例を示す図。
【図１７】実施形態に係るビル設備制御システムにおいて、ブラインドの状態を通知する電文内容の一例を示す図。
【発明を実施するための形態】
【００１０】
以下、実施形態について、図面を参照して説明する。
【００１１】
図１は、実施形態に係るビル設備制御システムを備えるビル管理システムの一例を示す模式図である。
【００１２】
図１に示すビル管理システムは、照明装置１、空調装置２、センサ装置３、制御装置４、およびビル監視装置５を備える。ビル管理システムは、ビル内の管理対象となるエリアをセンサ装置３によりセンシングする。センサ装置３は、上記エリアをセンシングすることで複数のセンシング情報を検出する。このセンシング情報とは、人間に関する情報や環境に関する情報等、エリア内で得られる検出情報のことである。ビル管理システムは、検出されたセンシング情報に基づいて、制御装置４により照明装置１および空調装置２を制御する。また、ビル管理システムは、ビル監視装置５により制御装置４を監視する。
【００１３】
なお、図１に示すビル管理システムでは、照明装置１および空調装置２を制御する制御装置４を設けている。このような形態に限らず、ビル管理システムは、照明装置１および空調装置２それぞれに制御部を設け、センサ装置３で得られたセンシング情報に基づいて、制御部により照明装置１および空調装置２それぞれを動作させてもよい。
【００１４】
図２は、図１に示す照明装置１、空調装置２およびセンサ装置３の配置例を示す図である。図２に示すように、照明装置１、空調装置２およびセンサ装置３は、管理対象となるエリアの天井部分に配置される。
【００１５】
ここで、上記ビル管理システムに備えられるビル設備制御システムについて、詳しく説明する。
【００１６】
図３は、実施形態に係るビル設備制御システムの一例を示すブロック図である。
【００１７】
図３に示すビル設備制御システムは、制御に即時性を要するビル設備を含めた、複数のビル設備を制御するシステムである。ここで、複数のビル設備は、例えば、上記制御に即時性を要するビル設備と、その他のビル設備とに分別することが可能である。制御に即時性を要するビル設備は、例えば、照明装置、防犯装置および防災装置等である。また、その他のビル設備は、例えば、空調装置および表示装置等の、制御に即時性を要しない設備である。
【００１８】
上記ビル設備制御システムは、画像センサ３−１〜３−ｎ、第１伝送路Ｌ１、第２伝送路Ｌ２、ハブ（Ｈｕｂ）６、プロトコル変換装置（ＧＷ）７−１〜７−２、制御装置８を備える。なお、画像センサ３−１〜３−ｎは、図１に示すビル管理システムのセンサ装置３に該当する。
【００１９】
画像センサ３−１〜３−ｎは、ビル内に複数台設置される。画像センサ３−１〜３−ｎは、ビル内の管理対象となるエリアから複数のセンシング情報を検出する。これにより、ビル設備制御システムは、画像センサ３−１〜３−ｎにより検出された複数のセンシング情報を後述するＢＥＭＳ等で統合し、ビル内の状況を把握する。ここで、当該複数のセンシング情報は、画像センサ３−１〜３−ｎの位置情報等を参考に統合する。ビル設備制御システムは、把握した状況に基づいて、上記照明装置１や空調装置２等のビル内に存在する設備を制御する。
【００２０】
ここで、画像センサ３−１〜３−ｎは、第１伝送路Ｌ１が接続される。第１伝送路は、上記複数のセンシング情報のうち、制御に即時性を要するビル設備の制御に必要なセンシング情報を、制御に即時性を要するビル設備を制御する制御装置８へ伝送するための伝送路である。また、画像センサ３−１〜３−ｎは、第２伝送路Ｌ２が接続される。第２伝送路Ｌ２は、複数のセンシング情報をＢＥＭＳ等へ伝送するための伝送路である。実施形態の第２伝送路Ｌ２は、伝送路上にハブ６を設け、ハブ６を経由して、上記複数のセンシング情報をＢＥＭＳへ伝送する。ここで、第１伝送路Ｌ１および第２伝送路Ｌ２は、それぞれ異なる通信プロトコルでセンシング情報を伝送する。
【００２１】
プロトコル変換装置７−１〜７−２は、上記第１伝送路Ｌ１および第２伝送路Ｌ２にそれぞれ設けられる。プロトコル変換装置７−１〜７−２は、各伝送路の通信プロトコルをビルで標準的に用いられるネットワークの通信プロトコルに変換する。図３に示すビル設備制御システムは、各伝送路の通信プロトコルをネットワークの通信プロトコルを変換して、ビル内のネットワークに接続される設備へ上記センシング情報を伝送する。これにより、ビル設備制御システムは、ビル内に存在する様々な設備で、検出されるセンシング情報を共有することが可能となる。さらに、ビル設備制御システムは、共有されたセンシング情報に基づいて、各設備を制御することが可能となる。
【００２２】
なお、ビルで標準的に用いられるネットワークは、例えば、ＴＣ−ｎｅｔ（登録商標）、ＢＡＣｎｅｔ（登録商標）、汎用Ｅｔｈｅｒｎｅｔ（登録商標）、産業用Ｅｔｈｅｒｎｅｔ（登録商標）等である。また、ビル内のネットワークに接続される設備は、例えば、ＢＥＭＳや表示装置等である。
【００２３】
図４は、図３に示すビル設備制御システムに用いられる画像センサの一例を示すブロック図である。なお、図４では、画像センサ３−１の構成例を示す。画像センサ３−２〜３−ｎは、画像センサ３−１の構成と同様とし、詳細な説明を省略する。
【００２４】
画像センサ３−１は、カメラ３１、Ａ／Ｄ変換器３２、メモリ３３、ＣＰＵ（Central Processing Unit）３４およびインターフェイス３５を有する。
【００２５】
カメラ３１は、上記エリアを撮像する。メモリ３３は、カメラ３１で撮像し、Ａ／Ｄ変換器３２でアナログからディジタルに変換された画像を記憶する。ＣＰＵ３４は、メモリ３３に記憶された画像を画像処理し、上記エリアを撮像した画像から複数のセンシング情報を生成する。インターフェイス３５は、上記第１伝送路Ｌ１および第２伝送路Ｌ２を介して、生成されたセンシング情報を制御に即時性を要する設備を制御する制御装置８およびＢＥＭＳへ送信する。なお、インターフェイス３５は、例えば、ＬＡＮ（Local Area Network）、シリアル通信、および無線設備等により上記センシング情報を送信する。
【００２６】
図５は、図３に示すビル設備制御システムに複数のビル設備を設ける場合の一例を示すブロック図である。
【００２７】
図５に示すビル設備制御システムは、即時性を要する系統と、その他の系統とを備える。即時性を要する系統とは、制御に即時性を要するビル設備の接続される系統である。その他の系統とは、例えば、制御に即時性を要しないビル設備の接続される系統である。
【００２８】
図５に示すビル設備制御システムは、即時性を要する系統に画像センサ３−１〜３−ｎおよび照明装置１−１〜１−ｎを接続する。また、ビル設備制御システムは、その他の系統に画像センサ３−１〜３−ｎを接続する。また、ビル設備制御システムは、ビル内で用いられるネットワークとして、ＢＡＣｎｅｔ（登録商標）を用いる。すなわち、ビル設備制御システムは、プロトコル変換装置７−１〜７−２を用いて、第１伝送路Ｌ１および第２伝送路Ｌ２の通信プロトコルをＢＡＣｎｅｔ（登録商標）の通信プロトコルに相互変換する。
【００２９】
なお、図５に示す照明装置１−１〜１−ｎを制御する照明制御装置１３は、照明装置１−１〜１−ｎと同様に、即時性を要する系統に接続される。また、表示装置１１は、内部に自身を動作させる制御部を有する。また、空調装置１２を制御する空調制御装置１０は、ビル内で標準的に用いられるネットワークに接続される。
【００３０】
ビル設備制御システムは、画像センサ３−１〜３−ｎそれぞれで検出されたセンシング情報に基づいて、照明制御装置１３により瞬間的に照明装置１−１〜１−ｎを点灯制御する。また、ビル設備制御システムは、画像センサ３−１〜３−ｎそれぞれで検出されたセンシング情報をＢＥＭＳ９に集約・統合する。ビル設備制御システムは、ＢＥＭＳ９でセンシング情報を集約・統合することにより、各ビル設備間で管理対象となるエリアのセンシング情報を共有することが可能となる。また、ビル設備制御システムは、ＢＥＭＳ９でセンシング情報を集約・統合することにより、例えば、時間毎の照明装置および空調装置の使用傾向や、時間毎の人の所在等を把握することが可能となる。
【００３１】
ビル設備制御システムは、ＢＥＭＳ９に集約・統合されたセンシング情報に基づいて、表示装置１１を制御する。また、ＢＥＭＳ９に集約・統合されたセンシング情報に基づいて、空調制御装置１０により空調装置１２を制御する。なお、ビル設備制御システムは、即時性を要する系統に上記防犯装置および防災装置を接続して制御してもよい。
【００３２】
なお、図５に示すビル設備制御システムでは、照明装置１−１〜１−ｎを制御する照明制御装置１３を即時性を要する系統に接続している。このような形態に限らず、ビル設備制御システムは、制御の即時性を保証可能であれば、照明制御装置１３をビル内で標準的に用いられるネットワークに接続させてもよい。
【００３３】
図６は、実施形態に係るビル設備制御システムで使用可能なトポロジーの一例を示す図である。
【００３４】
図６に示すように、ビル設備制御システムでは、Ｒｉｎｇ配線（図６（ａ））、ｓｔａｒ配線（図６（ｂ））、Ｌｉｎｅ配線（図６（ｃ））、ｔｒｅｅ配線（図６（ｄ））、およびＢｕｓ配線（図６（ｅ））を使用可能とする。また、各伝送路の通信プロトコルは、それぞれのトポロジーでの配線を実現可能とするものを用いる。各伝送路の通信プロトコルは、例えばＢＡＣｎｅｔ（登録商標）、ＴＣ−ｎｅｔ（登録商標）、汎用Ｅｔｈｅｒｎｅｔ（登録商標）、産業用Ｅｔｈｅｒｎｅｔ（登録商標）の通信プロトコルやメーカが独自に開発した独自プロトコル等を用いることが可能となる。また、汎用Ｅｔｈｅｒｎｅｔ（登録商標）等がＳｔａｒ配線される場合、ＰｏＥ（Power over Ethernet（登録商標））を用いることが可能である。
【００３５】
また、各系統において、実施形態のビル設備制御システムは、単一のトポロジーでの配線を可能にするだけでなく、複数のトポロジーを組み合わせた複雑なトポロジーでの配線を可能とする。  
図７は、実施形態に係るビル設備制御システムにおける複雑なトポロジーの一例を示すブロック図である。図７に示すビル設備制御システムにおいて、例えば、即時性を要する系統は、Ｒｉｎｇ配線およびＬｉｎｅ配線で接続される。また、その他の系統は、Ｔｒｅｅ配線およびＳｔａｒ配線で接続される。
【００３６】
図８は、実施形態に係るビル設備制御システムにおける接続方法の一例を示すブロック図である。図８に示すビル設備制御システムにおいて、ビル設備間の接続は、有線だけでなく無線での接続も可能とする。図８に示すビル設備制御システムにおいて、即時性を要する系統は、照明装置１−１〜１−ｎと画像センサ３−１〜３−ｎとを有線接続している。また、その他の系統は、アクセスポイント１４を介して各ビル設備を無線接続している。実施形態において、第１伝送路Ｌ１を介して画像センサ３−１〜３−ｎから照明装置１−１〜１−ｎを制御する照明制御装置１３へ送信するセンシング情報は、有線で送信する。また、第２伝送路Ｌ２を介して画像センサ３−１〜３−ｎからＢＥＭＳ９へ送信するセンシング情報は、有線または無線で送信する。
【００３７】
なお、上記実施形態において、第１伝送路Ｌ１を介して送信するセンシング情報は、有線で送信している。このような形態に限らず、第１伝送路Ｌ１を介して送信するセンシング情報は、制御の即時性を保証可能であれば、無線で送信してもよい。
【００３８】
図９は、実施形態に係るビル設備制御システムに、調整ＰＣ１５を接続する場合の一例を示すブロック図である。
【００３９】
画像センサ３−１〜３−ｎは、パラメータ調整や動作確認等のメンテナンスを行う必要がある。そのため、システム上に調整ＰＣ（Personal Computer）１５を設置し、設置した調整ＰＣ１５を用いて、外部から閾値やマスク情報等を設定する。
【００４０】
図１０は、調整ＰＣ１５による画像センサ３−１〜３−ｎの調整結果を示す図である。動作確認は、図１０に示すように、カメラ３１が撮像した画像や動作ログを調整ＰＣ１５で表示し、正常に動作していることを確認する。その際、調整ＰＣ１５をビル設備制御システムに接続する必要があるが、接続場所は各系統の伝送路内、あるいは、外部の伝送路内からの接続を可能とする。その際、調整ＰＣ１５は同時に複数台で、複数箇所からの接続も可能とする。また、調整ＰＣ１５が持つ調整機能、あるいは、調整ソフトウェアをＢＥＭＳ９が有し、ＢＥＭＳ９からの調整も可能とする。
【００４１】
図１１は、図３に示す画像センサ３−１〜３−ｎで検出されるセンシング情報の一例を示す図である。
【００４２】
画像センサ３−１〜３−ｎは、人間に関する情報や環境に関する情報等、複数の情報をセンシングする。図１１に示すように、画像センサ３−１〜３−ｎは、人間に関する情報として、エリアにおける人の在・不在、人の活動量、および人数等を検出する。また、画像センサ３−１〜３−ｎは、環境に関する情報として、明るさ（照度）、色味、ブラインドの状態、気温およびレイアウト情報等を検出する。
【００４３】
人の在・不在については、背景差分やフレーム間差分等、個体を認識せずに人間らしさを検出する画像認識技術を用いる。また、顔認証や人体検出等、個体を認識するパターン認識技術を用いてもよい。また、赤外線カメラを用いて、人体温度を検出してもよい。
【００４４】
人数については、顔認証や人体検出等、個体を認識するパターン認識技術を用いて、個々の人間を検出して人数を計測する。また、背景差分やフレーム間差分など個体を認識せずに人間らしさを検出する画像認識技術を用いて、人間の存在分布を推定してもよい。
【００４５】
活動量については、顔認証や人体検出等、個体を認識するパターン認識技術を用いて、個々の人間を検出・追跡して人間の移動速度を計測する。また、フレーム間差分を用いて、人間の動き量や分布から活動量を推定してもよい。
【００４６】
明るさについては、画像の輝度情報から机上面照度を推定する。また、カメラがゲイン等を制御する際に用いる明るさの指標から机上面照度を推定してもよい。
【００４７】
温度については、赤外線カメラを用いて、発熱体を検出する。また直接、空間の温度分布を計測する。
【００４８】
レイアウト情報については、物体認識技術を用いて、ビル内の存在する物体（机、いす及びプリンタ等）を認識し、レイアウト情報を生成する。また、人間の移動を分析することで、通路や壁等を推定してもよい。
【００４９】
このように、画像センサ３−１〜３−ｎを用いることにより、情報量の多い画像から様々なビル設備が必要とする人間に関する情報や環境に関する情報等を同時にセンシングすることが可能となり、そのセンシング情報を様々なビル設備で共有することが可能となる。
【００５０】
ここで、実施形態に係るビル設備制御システムにおいて、センシング情報として各設備へ通知する電文内容について説明する。なお、例として、ビル内のネットワークにＢＡＣｎｅｔ（登録商標）を用いる。
【００５１】
図１２は、エリアごとの人の在・不在を通知する電文内容の一例を示す図である。
【００５２】
ビル設備制御システムは、ビル内をエリア分けし、エリアごとに人の在・不在を画像センサ３−１〜３−ｎによりセンシングする。人の在・不在情報は、エリアごとのＢｉｎａｒｙＩｎｐｕｔとして、画像センサ３−１〜３−ｎから出力する。その際、画像センサ３−１〜３−ｎに付されるＩＤやセンシング情報を検出するエリアに付されるエリアＩＤを付属してもよい。また、ビル内のマップ情報と上記人の在・不在情報とを対応づける。マップ情報は、各エリアのエリアＩＤと、そのエリアに配置される画像センサのＩＤとを対応付けた表である。このマップ情報は画像センサ３−１〜３−ｎが持ってもよいし、プロトコル変換装置７−１〜７−２が持ってもよい。また、ＢＥＭＳ９等が持ってもよい。
【００５３】
図１３は、エリアごとの活動量を通知する電文内容の一例を示す図である。
【００５４】
図１３（ａ）に示すように、ビル設備制御システムは、ビル内をエリア分けし、エリアごとの活動量を画像センサ３−１〜３−ｎによりセンシングする。活動量情報は、エリアごとのＭｕｌｔｉ−ｓｔａｔｅＩｎｐｕｔ、あるいは、ＡｎａｌｏｇＩｎｐｕｔとして、画像センサ３−１〜３−ｎから出力する。その際、活動量はユーザーが定義した値で表現してもよいし、図１３（ｂ）に示すＭｅｔｓ（Metabolic equivalents）で表現してもよい。また、ビル内のマップ情報と上記活動量情報とを対応づける。このマップ情報は画像センサ３−１〜３−ｎが持ってもよいし、プロトコル変換装置７−１〜７−２が持ってもよい。また、ＢＥＭＳ９等が持ってもよい。
【００５５】
図１４は、エリアごとの人数を通知する電文内容の一例を示す図である。
【００５６】
図１４（ａ）に示すように、ビル設備制御システムは、ビル内をエリア分けし、エリアごとの人数を画像センサ３−１〜３−ｎによりセンシングする。人数情報は、エリアごとのＡｎａｌｏｇＩｎｐｕｔ、あるいは、Ｍｕｌｔｉ−ｓｔａｔｅＩｎｐｕｔとして、画像センサ３−１〜３−ｎから出力する。その際、人数は数値で表現してもよいし、図１４（ｂ）に示すユーザーが定義した混雑度や人口分布等で表現してもよい。また、ビル内のマップ情報と上記人数情報とを対応づける。このマップ情報は画像センサ３−１〜３−ｎが持ってもよいし、プロトコル変換装置７−１〜７−２が持ってもよい。また、ＢＥＭＳ９等が持ってもよい。
【００５７】
図１５は、エリアごとの明るさを通知する電文内容の一例を示す図である。
【００５８】
ビル設備制御システムは、ビル内をエリア分けし、エリアごとの明るさを画像センサ３−１〜３−ｎによりセンシングする。明るさ情報は、エリアごとのＡｎａｌｏｇＩｎｐｕｔ、あるいは、Ｍｕｌｔｉ−ｓｔａｔｅＩｎｐｕｔとして、画像センサ３−１〜３−ｎから出力する。その際、明るさは照度値で表現してもよいし、ユーザーが定義した明るさで表現してもよい。また、ビル内のマップ情報と上記明るさ情報とを対応づける。このマップ情報は画像センサ３−１〜３−ｎが持ってもよいし、プロトコル変換装置７−１〜７−２が持ってもよい。また、ＢＥＭＳ９等が持ってもよい。
【００５９】
図１６は、エリアごとの色味を通知する電文内容の一例を示す図である。
【００６０】
図１６（ａ）に示すように、ビル設備制御システムは、ビル内をエリア分けし、エリアごとの色味を画像センサ３−１〜３−ｎによりセンシングする。色味情報は、エリアごとのＡｎａｌｏｇＩｎｐｕｔ、あるいは、Ｍｕｌｔｉ−ｓｔａｔｅＩｎｐｕｔとして、画像センサ３−１〜３−ｎから出力する。その際、色味は色空間を表現するＲＧＢやＹＵＶ等の連続値で表現してもよいし、図１６（ｂ）に示すユーザーが定義した色味で表現してもよい。また、ビル内のマップ情報と上記色味情報とを対応づける。このマップ情報は画像センサ３−１〜３−ｎが持ってもよいし、プロトコル変換装置７−１〜７−２が持ってもよい。また、ＢＥＭＳ９等が持ってもよい。
【００６１】
図１７は、ブラインドの状態を通知する電文内容の一例を示す図である。
【００６２】
図１７に示すように、ビル設備制御システムは、ビル内を据付されているブラインドの状態を画像センサ３−１〜３−ｎによりセンシングする。ブラインド情報は、ブラインドごとのＡｎａｌｏｇＩｎｐｕｔ、あるいは、Ｍｕｌｔｉ−ｓｔａｔｅＩｎｐｕｔとして、画像センサ３−１〜３−ｎから出力する。その際、ブラインドの状態は、羽根の開閉角度と上下位置、羽根の開閉角度および上下位置を統合した開閉量またはユーザーが定義した値で表現される。また、ブラインド情報は、ブラインド１台ごとの状態で表現してもよいし、ブラインド数台分をまとめた統計的な状態（平均値や最大値等）で表現してもよい。また、ビル内のマップ情報と上記ブラインド情報とを対応づける。このマップ情報は画像センサ３−１〜３−ｎが持ってもよいし、プロトコル変換装置７−１〜７−２が持ってもよい。また、ＢＥＭＳ９等が持ってもよい。
【００６３】
また、画像センサ３−１〜３−ｎは、上記図１２〜図１７に示すセンシング情報以外にも、エリアの気温およびレイアウト情報等を検出してもよい。
【００６４】
上記構成によれば、実施形態のビル設備制御システムは、複数の伝送路を介して画像センサ３−１〜３−ｎにより検出されるセンシング情報を各ビル設備に伝送する。これにより、ビル設備制御システムは、画像センサ３−１〜３−ｎで検出されるセンシング情報をビル内の各設備で共有することが可能となる。また、従来のビル設備制御システムは、ビル設備ごとにセンサが設置されるので、センサに掛かるコストとともに、配線や設置等の工事に掛かるコストが多大になっていた。実施形態のビル設備制御システムは、画像センサ３−１〜３−ｎで検出されるセンシング情報をビル内の各設備で共有することが可能であるため、配線や設置等の工事に掛かるコストを削減することが可能となる。
【００６５】
したがって、ビル設備制御システムは、センシング情報を複数のビル設備で共有できるようにし、敷設コストの削減を図ることができる
また、それぞれの伝送路において、プロトコル変換装置（ＧＷ）を設置し、ＢＡＣｎｅｔ（登録商標）や産業用Ｅｔｈｅｒｎｅｔ（登録商標）等、様々な通信プロトコルに対応する。これにより、ビル設備制御システムは、ビル内に存在する様々な設備で画像センサ３−１〜３−ｎのセンシング情報を共有することが可能となる。
【００６６】
また、画像センサ３−１〜３−ｎを用いることにより、情報量の多い画像から様々なビル設備が必要とする情報を同時にセンシングすることが可能となり、そのセンシング情報を様々なビル設備で共有することが可能となる。
【００６７】
以上、実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００６８】
１…照明装置、２…空調装置、３…センサ装置、３−１〜３−ｎ…画像センサ、３１…カメラ、３２…Ａ／Ｄ変換器、３３…メモリ、３４…中央演算装置（ＣＰＵ）、３５…インターフェイス、４…制御装置、５…ビル監視装置、６…ハブ（Ｈｕｂ）、７−１〜７−２…プロトコル変換装置（ＧＷ）、８…制御装置、９…ＢＥＭＳ、１０…空調制御装置、１１…表示装置、１２…空調装置、１３…照明制御装置、１４…アクセスポイント、１５…調整ＰＣ。
【図１】
2015043189.tif 000003
【図２】
2015043189.tif 000004
【図３】
2015043189.tif 000005
【図４】
2015043189.tif 000006
【図５】
2015043189.tif 000007
【図６】
2015043189.tif 000008
【図７】
2015043189.tif 000009
【図８】
2015043189.tif 000010
【図９】
2015043189.tif 000011
【図１０】
2015043189.tif 000012
【図１１】
2015043189.tif 000013
【図１２】
2015043189.tif 000014
【図１３】
2015043189.tif 000015
【図１４】
2015043189.tif 000016
【図１５】
2015043189.tif 000017
【図１６】
2015043189.tif 000018
【図１７】
2015043189.tif 000019